(57)【要約】【課題】  唾液、歯垢、またはその混合物を含む被抽出液から、免疫学的測定方法による測定が十分に可能な濃度で、ストレプトコッカス・ミュータンスやストレプトコッカス・ソブリヌスの齲蝕関連菌の糖鎖抗原を簡単に抽出できる方法を開発すること。【解決手段】  唾液、歯垢、またはその混合物を含んでなる被抽出液を孔径０．８〜２μｍの濾材を用いた濾過装置で濾過し、該濾材上に保持されるストレプトコッカス・ミュータンス及び／又はストレプトコッカス・ソブリヌスに亜硝酸水溶液を作用させることにより、該微生物が有する糖鎖抗原を抽出すること。【選択図】  なし【特許請求の範囲】
【請求項１】
唾液、歯垢、またはその混合物を含んでなる被抽出液を孔径０．８〜２μｍの濾材で濾過し、該濾材上に保持されるストレプトコッカス・ミュータンス及び／又はストレプトコッカス・ソブリヌスに亜硝酸水溶液を作用させることにより、該微生物が有する糖鎖抗原を抽出することを特徴とする微生物抗原の抽出方法。
【請求項２】
請求項１記載の方法で抽出した糖鎖抗原抽出液中に含まれる糖鎖抗原の量を免疫学的測定方法にて測定し、測定結果に基づいて被抽出液中に含まれるストレプトコッカス・ミュータンス及び／又はストレプトコッカス・ソブリヌスの量を決定することを特徴とする微生物の測定方法。
【請求項３】
唾液、歯垢、またはその混合物を含んでなる被抽出液を濾材で濾過し、該濾材上に保持されるストレプトコッカス・ミュータンス及び／又はストレプトコッカス・ソブリヌスに亜硝酸水溶液を作用させることにより、該微生物が有する糖鎖抗原を抽出する方法を実施するために使用される濾過装置であって、濾材として、孔径０．８〜２μｍの濾材が使用されてなることを特徴とする微生物抗原抽出用濾過装置。
【発明の詳細な説明】
【技術分野】
【０００１】
本発明は、唾液、歯垢、またはその混合物を含んでなる被抽出液中のストレプトコッカス・ミュータンス及び／又はストレプトコッカス・ソブリヌスを濾過により濃縮し、該微生物が有する糖鎖抗原を抽出する方法、及びそのための濾過装置、並びに上記のようにして調製した糖鎖抗原抽出液中の糖鎖抗原量を免疫学的測定方法により決定するストレプトコッカス・ミュータンス及び／又はストレプトコッカス・ソブリヌスの高感度な測定方法に関する。
【背景技術】
【０００２】
医学検査や食品検査、または環境測定において微生物検査は重要な検査項目となっている。
【０００３】
口腔内には多種多様な微生物が存在しており、これらの微生物の中に感染症を引き起こす微生物が存在する場合があることが知られている。例えば、齲蝕の発生には齲蝕関連菌、具体的には、ストレプトコッカス・ミュータンス（Ｓｔｒｅｐｔｏｃｏｃｃｕｓ  ｍｕｔａｎｓ）やストレプトコッカス・ソブリヌス（Ｓｔｒｅｐｔｏｃｏｃｃｕｓ  ｓｏｂｒｉｎｕｓ）が強く関与していることが知られている。
【０００４】
微生物の測定は、従来培養法によって実施されており、結果が判明するまで長時間かかるという問題があったが、免疫学的測定方法が開発され検査時間が大幅に短縮された。免疫学的測定方法は微生物が有する特異的な抗原に対する抗体を利用して該微生物を高感度に検出するという方法である。
【０００５】
微生物から抗原を抽出し調製した抗原抽出液を免疫学的測定方法により測定することで、検出感度を更に高めることが可能である。その理由として、１）抗原が可溶化され低分子となるので、抗原抗体反応が進行しやすくなる、２）エピトープが露出する、等のことが考えられている。
【０００６】
特に、展開メンブレン上を抗原を含む溶液を展開させ、抗原抗体反応により抗原を検出する免疫クロマトグラフィー法により抗原を測定する場合、不溶性抗原よりも抽出抗原のほうが展開性が良いので、微生物から抗原を抽出することで高感度測定が期待できる。
【０００７】
微生物抗原の抽出方法としては、界面活性剤処理、酵素処理、熱処理等多種多様な方法が実用化されているが、糖鎖抗原の抽出方法として亜硝酸抽出法（武井勉．阪大医学雑誌．３５：９３−１０９，１９９０．）が知られている。該方法は、特に、Ａ群レンサ球菌、口腔内レンサ球菌等ストレプトコッカス属に属する微生物の糖鎖抗原の抽出に対して有効である。
【０００８】
この亜硝酸抽出法は、亜硝酸水溶液を糖鎖に反応させ、糖鎖を切断し菌体から遊離させるという方法であり、一般的な亜硝酸抽出法は、微生物を含む被抽出液に亜硝酸塩水溶液（多くの場合は亜硝酸ナトリウム）と酸水溶液（酢酸、塩酸、硝酸等）とを混合（以下、これらの溶液を「亜硝酸抽出試薬」とも総称する）することで亜硝酸を生成させ、微生物と該亜硝酸とを十分な時間反応させることにより実施される。上記の反応液は強酸性であるので、反応後に塩基［２−アミノ−２−ヒドロキシメチル−１，３−プロパンジオール（以下、「トリス」とも略す）、水酸化ナトリウム、炭酸水素ナトリウム等］を添加し、該反応液を中和した後に分析するのが一般的である。
【発明の開示】
【発明が解決しようとする課題】
【０００９】
ところが、唾液、歯垢、またはその混合物を含む被抽出液から、ストレプトコッカス・ミュータンスやストレプトコッカス・ソブリヌスの前記齲蝕関連菌の糖鎖抗原を抽出する場合においては、該被抽出液に含まれる、これら微生物の濃度が希薄であるため、被抽出液に亜硝酸抽出試薬を直接に添加して糖鎖抗原抽出液を調製したのでは、その後において免疫学的測定方法により測定可能なほどに十分な濃度で糖鎖抗原を抽出することが困難であった。
【００１０】
したがって、これら唾液、歯垢、またはその混合物を含む被抽出液から、免疫学的測定方法による測定が十分に可能な濃度で、ストレプトコッカス・ミュータンスやストレプトコッカス・ソブリヌスの糖鎖抗原を簡単に抽出できる方法を開発することが望まれていた。
【課題を解決するための手段】
【００１１】
本発明者らは、上記課題を解決するために鋭意研究を続けてきた。その結果、唾液、歯垢、またはその混合物等を含む被抽出液から、該ストレプトコッカス・ミュータンスやストレプトコッカス・ソブリヌスが有する糖鎖抗原を抽出するに際して、特定の孔径を有する濾材を用いた濾過による濃縮と亜硝酸抽出法とを組合せることにより、上記の課題が解決できることを見出し本発明を完成するに至った。
【００１２】
即ち、本発明は、唾液、歯垢、またはその混合物を含んでなる被抽出液を孔径０．８〜２μｍの濾材で濾過し、該濾材上に保持されるストレプトコッカス・ミュータンス及び／又はストレプトコッカス・ソブリヌスに亜硝酸水溶液を作用させることにより、該微生物が有する糖鎖抗原を抽出することを特徴とする微生物抗原の抽出方法である。
【００１３】
また、本発明は、上記方法で抽出した糖鎖抗原抽出液中に含まれる糖鎖抗原の量を免疫学的測定方法にて測定し、測定結果に基づいて被抽出液中に含まれるストレプトコッカス・ミュータンス及び／又はストレプトコッカス・ソブリヌスの量を決定することを特徴とする微生物の測定方法も提供する。
【００１４】
さらに、本発明は、唾液、歯垢、またはその混合物を含んでなる被抽出液を濾材で濾過し、該濾材上に保持されるストレプトコッカス・ミュータンス及び／又はストレプトコッカス・ソブリヌスに亜硝酸水溶液を作用させることにより、該微生物が有する糖鎖抗原を抽出する方法を実施するために使用される濾過装置であって、濾材として、孔径０．８〜２μｍの濾材が使用されてなることを特徴とする微生物抗原抽出用濾過装置も提供する。
【発明の効果】
【００１５】
本発明の微生物抗原の抽出方法により、唾液や歯垢を含む被抽出液中に存在するストレプトコッカス・ミュータンスやストレプトコッカス・ソブリヌスを簡便迅速に濃縮し、容易に糖鎖抗原抽出液を調製することができる。この糖鎖抗原抽出液を免疫学的測定方法にて分析することで、前記被抽出液中の該齲蝕関連菌の濃度は希薄であるにもかかわらず、高感度で簡便にその値を求めることが可能になる。
【００１６】
特に、上記被抽出液中のストレプトコッカス・ミュータンス及び／又はストレプトコッカス・ソブリヌスより糖鎖抗原を抽出し、該糖鎖抗原抽出液を免疫クロマトグラフィー法、ラテックス凝集法、フロースルー免疫測定方法により測定すれば、歯科医院や家庭で迅速、且つ簡便に上記齲蝕関連菌の測定を行うことが可能となり、新たな齲蝕診断システムを構築することも可能となる。
【発明を実施するための最良の形態】
【００１７】
本発明で使用する被抽出液は、口腔から採取した唾液、歯垢、またはその混合物を含んでなるものである。かかる被抽出液には、本発明が測定対象とする微生物であるストレプトコッカス・ミュータンスやストレプトコッカス・ソブリヌスの齲蝕関連菌が含有されている可能性がある。こうした測定対象である糖鎖抗原を有する微生物が含有されている場合、これら微生物はそれ以外の不溶物と混在する状態にある。
【００１８】
本発明の抽出方法では、上記のような被抽出液を、まず、孔径０．８〜２μｍの濾材を用いて濾過し、被抽出液中に存在するストレプトコッカス・ミュータンス及び／又はストレプトコッカス・ソブリヌスを濾材上に保持する。この操作により、被抽出液中の該齲蝕関連菌は、濾材上に良好に濃縮される。なお、本発明において、濾材上へのこれら微生物の保持とは、濾材の面上に保持されるものだけでなく、その細孔内に捕らわれたものもいう。
【００１９】
従来、免疫学的測定方法による微生物検査等において、被抽出液中の微生物を濃縮するに際して被抽出液が不溶物を多く含むような場合には、目詰まり等の危険性のある濾過法よりも、遠心分離法が主に採用されている。しかしながら、遠心分離法は、高価な遠心分離機が必要な上、先ず、被抽出液を遠心分離し微生物を沈殿させた後、上清を廃棄するという方法で実施しなければならず、操作が煩雑で濃縮に時間がかかる難点があった。したがって、簡単な濾過装置を用いて短時間に操作が実行できる濾過法により、糖鎖抗原を有する微生物を濃縮し、これを該微生物の検査等に利用することは極めて有意義である。
【００２０】
本発明において、濾材としては、亜硝酸抽出を施しても安定なものであれば公知の材質からなる膜状、層状の濾材が制限無く使用できる。このような濾材を例示すると、メンブランフィルターの等のスクリーンフィルターやガラス繊維濾紙や濾紙のようなデプスフィルター等が挙げられる。微生物を含む被検体液を濾過する際に、通常使用されるメンブランフィルターの材質は、セルロースアセテート、ポリビニリデンフルオライド（以下、「ＰＶＤＦ」と略す）、ナイロン等であるが、これらの材質は、亜硝酸抽出時の強酸性条件下ではやや不安定であるため、前記ガラス繊維や濾紙からなるデプスフィルターや、或いは酸に対して十分な耐性を有する材質からなるスクリーンフィルターを使用するのが好ましい。
【００２１】
ここで、ストレプトコッカス・ミュータンスやストレプトコッカス・ソブリヌスのサイズは、０．５〜０．９μｍの範囲にある。したがって、これら微生物の検査における被検体液の調製工程等において、これら微生物を含む被抽出液を濾過する場合には、濾材としては、上記微生物のサイズよりも十分に小さい孔径、具体的には、０．２２〜０．４５μｍの孔径を有する濾材が使用されるのが常法である。
【００２２】
本発明においても、被抽出液の濾過は、上記小孔径を有する濾材を用いて行えば、ストレプトコッカス・ミュータンスやストレプトコッカス・ソブリヌスを良好に捕捉することができるが、このように小孔径であると、液の濾過速度が遅くなり、また、被抽出液にその他の不溶物が混在する場合には、目詰まりも生じ易くなる。そして、このようにして濾材に目詰まりが生じた場合には、上記工程に続く、濾材上に保持される上記微生物に亜硝酸水溶液を作用させる工程においても、抽出の効率性がやや低下する。
【００２３】
このような背景から、本発明では、濾材として、０．８〜２μｍ、更に好適には０．８〜１．６μｍの孔径のものを用いる。上記孔径は、濾材上に保持する前記ストレプトコッカス・ミュータンスやストレプトコッカス・ソブリヌスの大きさよりも大抵において若干上回るものになるが、これら齲蝕関連菌の場合においては、この程度に孔径が大きい濾材であってもほとんど流下させることなく捕捉できる。したがって、濾過速度も大幅に向上し、さらに、他の不溶物による目詰まりも極めて生じ難く、より効率的に亜硝酸水溶液を用いた糖鎖抗原の抽出が行えるようになる。
【００２４】
なお、本発明において濾材の孔径とは、濾材が、その孔径より大きな粒子の９８％以上を捕捉する値のことをいう。濾材がメンブランフィルターの等のスクリーンフィルターである場合は、市販濾材カタログに表示されている孔径が本発明の孔径に相当し、濾材がガラス繊維濾紙や濾紙のようなデプスフィルターの場合は、市販濾材カタログに表示されている保留粒子径や粒子保持能が本発明の孔径に相当する。
【００２５】
濾材上に保持したストレプトコッカス・ミュータンス及び／又はストレプトコッカス・ソブリヌスは、濾過装置に洗浄液を流して洗浄するのが好ましい。本発明の方法により抽出された糖鎖抗原の量を免疫学的測定方法により測定する場合、上記洗浄を行うことにより、非特異的反応による偽陽性の発生を低減させることができる。
【００２６】
濾過法によれば、濃縮したこれら微生物の洗浄を簡便で短時間に行えるという特徴がある。例えば、本発明の抽出方法において、このように濾材上に保持したストレプトコッカス・ミュータンス及び／又はストレプトコッカス・ソブリヌスの洗浄操作を加えた場合、濾過装置に洗浄液を添加し流下させるという簡単な操作で洗浄を短時間に完了させることができる。これに対して、これら微生物の洗浄を遠心分離法により行った場合には、濃縮された微生物の洗浄操作は、被濃縮液を遠心分離し上清を廃棄した後、得られた沈殿を洗浄液に懸濁し、さらに遠心分離して上清を廃棄する煩雑な方法により行わなければならず、上記濾過法の通常、２〜５倍の操作時間が必要になる。
【００２７】
さらに、このように濾過法において洗浄を施せば、遠心分離法による洗浄に比べて洗浄効率を高くすることができ、後述する実施例で示されるように、遠心分離法で濃縮した前記測定対象の微生物から抽出した糖鎖抗原では、非特異的反応が検出されてしまうような特異性の低い抗体により免疫学的測定方法を実施した場合でも、正確な測定が可能になるという大きな効果も得られる。
【００２８】
上記微生物の洗浄液としては、例えば、緩衝液、酸水溶液、アルカリ水溶液、界面活性剤水溶液等の液体が使用できる。
【００２９】
被抽出液の濾過操作は、一般的な濾過の方法に従って実施できる。重力下の他、加圧下、減圧下で濾過しても良い。好適には、内部に濾材が固定されたシリンジフィルターを使用し、被抽出液を注入した後シリンジを用いて加圧することで実施するのが好ましい。また、例えば、シリンジ内に濾材を固定し、プランジャーを外した状態で該シリンジ内に被抽出液を分注し、プランジャーをシリンジに挿入し加圧することで濾過することもできる。
【００３０】
また、例えば図１に示すような、容器上面が開口し、底壁に排液口(1)が突出し、且つ内部に濾材(2)が固定された円筒状等の形状からなる本体容器(3)と、該本体容器(3)の上面に嵌合可能であり、天板部にシリンジ差込口(4)が突出する蓋部(5)からなる濾過装置(6)を用いて濾過を行うのも好適な態様である。即ち、この濾過装置(6)によれば、容器本体の上面開口部から、被抽出液を容器内に注液し、次いで、この容器本体の上面に蓋部(5)を嵌合した後、そのシリンジ差込口(4)に加圧用シリンジの先端部を取付け、プランジャーを押して容器内を加圧し濾液を排液口(1)から排出することにより、被抽出液を簡単な操作で迅速に加圧濾過することができる。また、かかる濾過装置(6)によれば、上記濾過後の洗浄操作や、さらには、その後において、濾材上に保持されたストレプトコッカス・ミュータンス及び／又はストレプトコッカス・ソブリヌスに亜硝酸水溶液を作用させる際にも、同様な手順により効率的に操作を行うことができる。
【００３１】
ここで、上記構造の濾過装置において、本体容器(3)は、柔軟な物質（例えばポリプロピレン等のプラスチック）で構成されているのが好ましい。この本体容器(3)に対して、濾材(2)は接着剤により底面に保持されていても良いし、または特に接着をせずに摩擦力によってのみで底面に保持されていても良い。
【００３２】
濾材(2)を本体容器の底面に直接固定した場合、濾過速度が遅い被抽出液（例えば、粘度が高い、大量の不溶物を含有する場合等）を濾過するとき、濾過速度を上げようとして必要以上に加圧すると、濾材(2)の一部が排液口(1)内に押し出され、濾過速度が顕著に低下する場合があり注意を要する。このような場合には、濾材(2)と底面の間に、サポートフィルター、メッシュシート等を置けば濾材(2)の排液口(1)内への進入を阻止でき、より好適である。サポートフィルターとしては、例えば、一般的な液体クロマトグラフィー用オープンカラム底部においてクロマトグラフィー担体のカラムからの流出を防ぐ目的で使用されているもの、具体的には、ガラスフィルター、ポリプロピレンフィルター、ポリエステルフィルター、ポリアミドフィルター等が使用できる。メッシュシートとしては、例えば一般的に市販されている、上記サポートフィルターと同様な材質のメッシュシートが使用できる。
【００３３】
さらに、本体容器(3)の上面への蓋部(5)の嵌合は、摩擦力で行うだけでなく、スクリューネジまたはその他の密閉方法により行っても良い。
【００３４】
次に、本発明の微生物抗原の抽出方法では、上述のような方法によって濾材上に保持させたストレプトコッカス・ミュータンス及び／又はストレプトコッカス・ソブリヌスに亜硝酸水溶液を作用させることにより、これら微生物が有する糖鎖抗原を抽出する。微生物に亜硝酸水溶液を作用させる方法は、亜硝酸抽出法として知られる公知の方法が制限無く使用できる。亜硝酸水溶液は、一般には、亜硝酸塩水溶液と酸水溶液とを混合することで調製できる。抽出効率と、後の免疫学的測定法での精度という観点から、混合液の液量に対して、０．２〜８Ｍの亜硝酸塩と０．３〜４Ｍの酸とが使用されたことになるような量で各溶液が混合されて得られた亜硝酸水溶液を用いるのが望ましい。
【００３５】
亜硝酸水溶液の使用量は、濾材の上面の面積１ｃｍ２当たり５〜４００μｌ、好適には２０〜３００μｌが好ましい。亜硝酸水溶液を作用させる温度は、１５〜５０℃が好ましく、また、作用時間は１〜１０分が好ましい。
【００３６】
ストレプトコッカス・ミュータンス及び／又はストレプトコッカス・ソブリヌスに亜硝酸水溶液を作用させる具体的手法は、例えば、亜硝酸塩水溶液と酸水溶液とを濾材上に供給し該濾材上で亜硝酸を発生させる方法によって実施することができる。亜硝酸塩水溶液として、例えば、０．２〜８Ｍの亜硝酸ナトリウム、亜硝酸カリウム等を、酸水溶液として、例えば、０．５〜４Ｍの酢酸、硝酸、塩酸、クエン酸等を、それぞれ濾材上面の面積１ｃｍ２当たり、前記各量の混合割合になるように５〜２００μｌの範囲から採択して添加すれば良い。
【００３７】
従来の亜硝酸抽出法では、このように糖鎖抗原の抽出時、即ち、糖鎖抗原を抽出する微生物の共存化で亜硝酸塩水溶液と酸水溶液とを反応させて亜硝酸水溶液を生成させ微生物に作用させるのが一般的な手法であるが、本発明では、予め、こうした反応により亜硝酸水溶液を調合しておき、これを前記濾過により、上記微生物が保持された濾材上に流し込むことにより作用させるのが、より好ましい。濾材に保持されたストレプトコッカス・ミュータンスやストレプトコッカス・ソブリヌスは、通常、その他の不溶物と混ざった状態にあり、さらに細孔の内部まで侵入しているものもあり、これらに均一に亜硝酸水溶液を作用させるには、上記の如く予め均一な溶液に調製してから濾材に流し込む方が一層に効果的であり、これにより、糖鎖抗原の抽出効率がさらに向上し、抽出時間の短縮化も可能になる。
【００３８】
予め、亜硝酸水溶液を調合しておく場合には、亜硝酸塩水溶液（亜硝酸ナトリウム、亜硝酸カリウム等）と酸水溶液（酢酸、硝酸、塩酸、クエン酸等）とを前記割合になるように適宜混合し、亜硝酸水溶液を作製すれば良い。亜硝酸の安定性の観点から、調合してから使用するまであまり長期間を空けないのが好ましいが、２〜２５℃に保管するのであれば４時間程度保存しても、実用上ほとんど問題は生じない。
【００３９】
濾材上に保持される微生物やその他の不溶物は、濾材の表面だけでなく細孔の内部まで侵入しているため、供給した亜硝酸水溶液は、重力下ではほとんど流下しないのが一般的である。そのため、細孔の内部に保持されるストレプトコッカス・ミュータンスやストレプトコッカス・ソブリヌスまでは、亜硝酸水溶液が十分に作用し難いため、本発明では、供給した亜硝酸水溶液を供給当初に加圧して流下させるのが好ましい。これにより、亜硝酸水溶液の余分量は排出されてしまうものの、必要量が濾材の細孔の隅々まで均一に行き渡るため、その後、亜硝酸の作用時間を前記時間程度とることにより糖鎖抗原の抽出効率は一層に向上する。
【００４０】
ここで、亜硝酸水溶液の加圧による流下は、液を濾過装置に流し込んだ後、少なくとも２分以内に終えることが好ましい。これ以上時間が経過した後流下させると、糖鎖抗原の抽出が相当程度進行してしまうため、排出される余分量の液に、遊離した糖鎖抗原が同伴して有効量が消失するようになる。糖鎖抗原の抽出時に亜硝酸塩水溶液と酸水溶液とを反応させて亜硝酸水溶液を生成させる手法では、両方の液を濾材に供給した後、かかる短時間で加圧して混合液を流下させたのでは、均一な亜硝酸水溶液が生成していないおそれがあるため、かかる観点からも、濾材への供給に先立ち、亜硝酸水溶液を調製しておく手法は有利である。
【００４１】
本発明において糖鎖抗原抽出液は、上記亜硝酸抽出法により濾材上に保持されるストレプトコッカス・ミュータンス及び／又はストレプトコッカス・ソブリヌスに亜硝酸水溶液を作用させた後、液成分を流下させて回収することにより行えば良い。その際、前記した如くに、作用の開始当初に亜硝酸水溶液の余分量を加圧して排出した場合には、濾材に含有される亜硝酸水溶液の量は僅かであり、遊離した糖鎖抗原を十分に回収するには不足するため、適当量の回収液を追加して流すのが好ましい。この回収液は、水等でも良いが、残留する酸による強酸性を中和するため、回収される糖鎖抗原抽出液のｐＨが７．０〜８．５になるような塩基性水溶液であるのが好ましい。
【００４２】
このような塩基性水溶液としては、１〜３Ｍ 水酸化ナトリウム水溶液、０．５〜２Ｍ トリス水溶液、０．５〜１Ｍ 炭酸水素ナトリウム水溶液等を用いるのが好ましい。なお、残留する酸の中和は、糖鎖抗原抽出液を回収した後、所定濃度の上記塩基性水溶液を混合することにより実施することも可能であるが、免疫学的測定方法での感度の観点からは、上記したように、回収液を塩基性水溶液として実施する方がより好ましい。
【００４３】
本発明では、上記方法により抽出した糖鎖抗原抽出液を被検体液として、免疫学的測定方法により、含有される糖鎖抗原量を定量し、その結果に基づいて被抽出液中のストレプトコッカス・ミュータンス及び／又はストレプトコッカス・ソブリヌスの量を決定する。以下、この微生物の測定方法について説明する。
【００４４】
本発明において免疫学的測定方法は、糖鎖抗原抽出液に存在するストレプトコッカス・ミュータンスやストレプトコッカス・ソブリヌスが有する糖鎖抗原に結合するモノクローナル抗体、ポリクローナル抗体を使用する。該抗体におけるグロブリンクラスは特に限定されず、現在知られている全てのグロブリンクラスが使用できる。更に、通常の抗体分子のみならず、該抗体の部分分解物（Ｆａｂ、Ｆａｂ'、Ｆａｂ'２等）、及び該抗体の活性フラグメント（抗体の抗原認識部位）も使用できる。
【００４５】
このような抗体は公知であり、具体例として、ストレプトコッカス・ミュータンスに対する抗体としては、Ｚｂｌ．Ｂａｋｔ．Ｈｙｇ．（１９８７年）Ａ２６５巻３３０−３３９ページに記載のポリクローナル抗体、ストレプトコッカス・ソブリヌスに対する抗体としては、阪大医学雑誌（１９９０年）３５巻９３−１０９ページに記載のポリクローナル抗体及びモノクローナル抗体が例示できるが、ストレプトコッカス・ミュータンスやストレプトコッカス・ソブリヌスの糖鎖抗原に結合できる抗体であれば特に限定されず、公知の方法で作製したポリクローナル抗体及びモノクローナル抗体が使用できる。
【００４６】
例えば、ポリクローナル抗体は、免疫動物にストレプトコッカス・ミュータンス菌体或いはストレプトコッカス・ソブリヌス菌体、またはこれらの菌体から得られる糖鎖抗原抽出液を免疫することにより得ることができる。得られたポリクローナル抗体は、他の微生物との交差反応性を有する抗体の除去等の精製処理により、さらに特異性をあげて使用するのが好ましい。
【００４７】
免疫学的測定方法の具体的手法は、免疫凝集法、光学免疫測定方法、標識免疫測定方法、およびこれらの方法の組合わせ等の従来公知の方法が制限無く採用出来る。
【００４８】
以下、これら免疫学的測定方法について説明する。
【００４９】
[免疫凝集法]
該方法は、抗原抗体反応に基づく不溶性担体の凝集反応を利用して、糖鎖抗原抽出液中の抗原を検出、定量する方法である。半定量的方法としてはラテックス凝集法、マイクロタイター法等が、定量的測定方法としてはラテックス定量法等がある。
【００５０】
例えば、ラテックス凝集法を利用して糖鎖抗原抽出液中の抗原量を免疫学的に測定する場合には、ラテックスビーズに前記微生物の糖鎖抗原と結合する抗体（以下、単に「抗体」ともいう）を固定化した抗体感作粒子からなる測定試薬を作製後、該測定試薬と糖鎖抗原抽出液を混合し、抗原抗体反応後における感作粒子の凝集の度合を、目視、或いは光学的測定方法等により検出することで測定することが出来る。
【００５１】
[光学免疫測定方法]
該方法は、抗体と糖鎖抗原抽出液とを接触させて抗原抗体反応を行った場合に、抗原抗体反応の結果生じる凝集物の濁度の変化を検出する方法、又は抗体を固定化した薄層（以下、「抗体層」ともいう）に糖鎖抗原抽出液を接触させ、抗原抗体反応の結果生じる抗体層の屈折率の変化を透過光や表面プラズモン波等の変化として検出する方法等、抗原抗体反応の有無を光学的に検出する方法のことである。
【００５２】
[標識免疫測定方法]
該方法は、抗体に放射性物質、酵素、各種色素類、コロイド類、各種粒子等の各種標識物質を結合させて得た標識抗体を含む測定試薬と、糖鎖抗原抽出液とを接触させて抗原抗体反応を行った後に、糖鎖抗原抽出液中の抗原に結合した標識物質の量、すなわち標識物質に由来する放射活性、酵素活性、蛍光強度、着色等を測定することによって、糖鎖抗原抽出液中の抗原を検出、定量する方法である。
【００５３】
該方法では、例えば抗体を固定化した不溶性担体（粒子、メンブレン、イムノプレート等）からなる測定試薬と糖鎖抗原抽出液とを接触させて抗原抗体反応を行った後に、抗体を標識物質で標識した標識抗体を含む別の測定試薬を接触させて更に抗原抗体反応を行った後に、標識物質の量を測定することによって、又は糖鎖抗原抽出液と標識物質で標識した糖鎖抗原とを混合し、抗体を固定化した不溶性担体からなる測定試薬に接触させて抗原抗体反応を行った後に、抗体に結合した標識物質の量を測定することによって糖鎖抗原抽出液中の抗原を検出、定量することができる。
【００５４】
標識物質としては、放射性物質として放射性ヨード、放射性炭素等が、酵素としてペルオキシダーゼ、アルカリホスファターゼ、ガラクトシダーゼ等が、各種色素類として、フルオレセインイソチオシアネート、テトラメチルローダミン等の蛍光色素類が、コロイドとして金コロイド、炭素コロイド等が、各種粒子としては着色ラテックス粒子等が使用出来る。なお、酵素標識を行う場合は、チオール基とマレイミド基、アミノ基とアルデヒド基等の共有結合により直接標識する、或いはビオチン−アビジン複合体を介し標識する等の方法が使用可能である。
【００５５】
また、標識酵素としてアルカリホスファターゼ及びパーオキシダーゼを使用し、さらに前者の酵素の場合にはジオキセタン誘導体等の化学発光物質を、また後者の酵素の場合にはルミノール誘導体等の化学発光物質を酵素の基質として使用した場合には、該基質の発光を検出することも出来る。
【００５６】
これら各種標識免疫測定方法における操作、手順等は一般に採用されているそれらと特に異ならず、公知の非競合法や競合法、サンドイッチ法等に準じることが出来る。また、抗体と共に、上記の各標識物質で標識した二次抗体、プロテインＡ等の抗体に結合可能な物質を使用して糖鎖抗原の検出・定量に用いることもできる。
【００５７】
該標識免疫測定方法では、用いる標識に応じて従来使用されている方法が特に限定無く使用できるが、中でも放射性物質を標識として使用する放射免疫測定方法、酵素を標識として使用する酵素免疫測定方法、色素、特に蛍光色素を標識として利用する蛍光免疫測定方法、酵素の基質としての化学発光物質を標識として利用する化学発光免疫測定方法等は定量性が高いので、高精度の定量測定を行なう場合にはこれら測定方法を採用するのが好適である。また、コロイドまたは各種粒子を標識として使用するフロースルー免疫測定方法、免疫クロマトグラフィー法、並びにラテックス凝集法は、操作が簡便であるという特徴がある。
【００５８】
これらの方法のなかでも特に免疫クロマトグラフィー法は、歯科医院や家庭においても実施可能な簡便迅速な方法である。以下に図を参照して該方法について詳しく説明する。
【００５９】
図２および図３に本発明の免疫学的測定方法で好適に使用できる代表的なストリップ(7)の構造を示す。該ストリップ(7)は、従来のストリップと同様に、それぞれ目的に応じた多孔性支持体からなる各部材、すなわち糖鎖抗原抽出液を一時的に吸収、保持するためのサンプルパッド(8)、標識抗体を一時的に保持するためのコンジュゲートパッド(9)、検出用抗体が固定化される展開メンブレン(10)、およびサンプルパッド(8)より展開された糖鎖抗原抽出液を吸収するための吸収パッド(11)がこの順番で接合された構造からなる。
【００６０】
ストリップ(7)におけるコンジュゲートパッド(9)には、糖鎖抗原抽出液中の抗原を標識するための抗体（以下、「標識抗体」という）が塗布・乾燥することにより保持されている。該標識抗体としては、例えば金コロイド等の標識物質で標識した抗体が使用される。また、上記展開メンブレン(10)上の検出ライン(12)には、糖鎖抗原抽出液中の抗原を捕捉するための検出用抗体が固定化されている。
【００６１】
なお、図２および図３中に示される各寸法（長さ）は、単に大きさの目安を示すものであり、本発明の免疫クロマトグラフィー法で使用するストリップの大きさは、これら図に示される値に限定されるものではない。
【００６２】
上記各部材を構成する多孔性支持体に用いる材料は特に限定されず、各部材の目的に応じて吸湿性材料、多孔質材料、繊維質材料等から適宜選択される。例えば、サンプルパッド(8)としては、濾紙、吸取紙等を用いるのが好適であり、コンジュゲートパッド(9)としてはガラス繊維布、ポリプロピレン不織布、ガラスフィルター等を用いるのが好適である。また、展開メンブレン(10)としてはニトロセルロース、或いは酢酸セルロースを含むニトロセルロース等を用いるのが好適であり、吸収パッド(11)としては濾紙、吸取紙等を用いるのが好適である。
【００６３】
なお、検出用抗体およびコントロール抗体の展開メンブレン(10)への固定化方法は特に限定されず、従来公知の物理的吸着法や共有結合法が何ら制限無く使用できるし、他のタンパク質等と混合して固定化することもできる。また、展開メンブレンへの糖鎖抗原抽出液成分の非特異的吸着を抑制する、或いは展開メンブレンへの糖鎖抗原抽出液の湿潤性を向上するため抗体固定化後の展開メンブレンを公知の方法によりタンパク質、脂質、高分子化合物等によりブロッキング処理することもできる。このブロッキング処理に用いるタンパク質等は特に限定されるものではないが、一般的な免疫学的測定方法において、非特異的反応を抑制する目的で使用されているＢＳＡ、スキムミルク等が好適である。また、糖鎖抗原抽出液が展開メンブレンを均一に展開するように、展開メンブレンの吸水性を調整するために、展開メンブレンの表面に親水性重合体や界面活性剤を被覆または含浸させることもできる。
【００６４】
なお、コンジュゲートパッド(9)については、糖鎖抗原抽出液を添加したときに、糖鎖抗原抽出液と標識抗体との複合体が、この部分から容易に脱離するように、水溶性重合体、またはサッカロース等の糖類で予めブロッキングした後標識抗体を添加してから乾燥させる、或いは標識抗体を予め水溶性重合体、またはサッカロース等の糖類と混合してからコンジュゲートパッドに塗布し乾燥させるのが好ましい。
【００６５】
上記水溶性重合体としては、ポリビニルピロリドン、ポリビニルアルコール、ポリエチレングリコール、セルロースエーテル（メチルセルロース、エチルセルロース、カルボキシメチルセルロース、カルボキシエチルセルロース、オキシエチルセルロース、シアンエチルセルロース等）、ゼラチン等が使用できる。
【００６６】
また、標識抗体を調製するための標識物質としては、金コロイド、炭素コロイド、着色ラテックス等の目視によって確認できる標識物が使用できる他、放射性物質や蛍光物質も使用可能である。また、標識物質として酵素を利用し、抗原抗体反応の後に基質を添加して、酵素反応により生じる化合物を検出することもできる。本発明の抗体の標識化は特に限定されず、従来一般的に採用されている方法により行なうことができる。
【００６７】
免疫クロマトグラフィー法では、前記ストリップ(7)のコンジュゲートパッド(9)の近傍に位置するサンプルパッド(8)に糖鎖抗原抽出液を添加し、室温で１〜３０分間放置することにより糖鎖抗原抽出液とともに標識抗体を検出ライン(12)まで展開し、サンドイッチ法の原理に基づいて、展開液中の標識抗体と結合した微生物の糖鎖抗原を検出用抗体にて検出ライン(12)上に捕捉し、捕捉された糖鎖抗原に結合した標識抗体を検出することにより、糖鎖抗原抽出液中のストレプトコッカス・ミュータンスやストレプトコッカス・ソブリヌスの有する糖鎖抗原の有無またはその多寡を測定することができる。このときに標識抗体が糖鎖抗原抽出液と共に正常に展開されていることは、上記検出ライン(12)の下流のコントロール判定ライン(13)に標識抗体と反応する抗体を固定化しておき、この位置で標識抗体が検出されることにより確認することができる。
【００６８】
なお、図２に示される展開メンブレン(10)上の検出ライン(12)およびコントロール判定ライン(13)の位置、順、形状、数等は一例であり特に限定されるものではない。
【００６９】
以上、標識抗体を予め塗布して乾燥させたストリップを用いた免疫クロマトグラフィー法について説明したが、標識抗体を予め糖鎖抗原抽出液と混合し抗原抗体反応を行わせた後に、該混合液を検出用抗体が固定化された多孔性支持体の一端に添加するという方法でも測定可能である。
【００７０】
免疫クロマトグラフィー法による測定においては、例えば以下のような手順で測定を行なうことにより、迅速簡便に糖鎖抗原抽出液中の抗原量を定量し、この値に基づいて被抽出液中の前記測定対象の微生物量を決定することができる。
【００７１】
即ち、まず、糖鎖抗原抽出液（例えば１００〜２００μｌ）を分取し、前記ストリップのサンプルパッドに添加し、所定時間（例えば１〜３０分）静置した後、該ストリップの検出ライン(12)およびコントロール判定ライン(13)の着色の有無あるいはその状態により判定することにより糖鎖抗原が存在するか否か、或いはその量を知ることができる。糖鎖抗原抽出液中の抗原濃度と被抽出液中の前記測定対象の微生物濃度は比例関係にあるので、抗原量に基づいて被抽出液中の該微生物量を決定する。
【実施例】
【００７２】
以下、実施例により本発明を具体的に説明するが、本発明は以下の実施例に限定されるものではない。
【００７３】
製造例１［ストレプトコッカス・ミュータンスに対するポリクローナル抗体の作製と精製］
（１）〔ストレプトコッカス・ミュータンスに対する抗血清の作製〕
ブレインハートインフージョン、「ＢＨＩ」とも略す；ＤＩＦＣＯ社）３．７ｇを１００ｍｌの超純水に溶解後、オートクレーブ処理し、ＢＨＩ液体培地を調製し、Ｉｎｇｂｒｉｔｔ（ストレプトコッカス・ミュータンス）を３７℃、１８時間、嫌気条件下で培養した。培養液を４０００ｇ、５分遠心処理し、上清の培地成分を除去し菌体沈殿を回収した。次いで、沈殿物を１００ｍｌのリン酸生理食塩緩衝液（ｐＨ７．４）（以下、「ＰＢＳ」とも略す）に懸濁させて、同様の遠心分離をする操作を３回行い、沈殿物を洗浄した。
【００７４】
菌体沈殿をＰＢＳに懸濁しＡ６００＝１．０に調整し、Ｉｎｇｂｒｉｔｔの菌体懸濁液を調製した。なお、該菌体懸濁液を超音波処理後、適宜希釈した後にＢＨＩ培地プレート上に添加し、生じたコロニー数を計数し菌体懸濁液の希釈倍率を乗じることで該菌体懸濁液の菌体濃度を求めたところ、約１×１０９個／ｍｌであった。
【００７５】
免疫は以下のように実施した。
【００７６】
第１週は菌体懸濁液０．５ｍｌを、５日連続で５回ウサギに対し耳介静脈注射した。第２週は該菌体懸濁液１．０ｍｌを、５日連続で５回ウサギに対し耳介静脈注射した。第３週は菌体懸濁液２．０ｍｌを、５日連続で５回ウサギに対し耳介静脈注射した。第４週は第３週と同様に免疫した。力価の上昇をスライドグラスを利用した菌体の凝集反応の程度により確認後、最終免疫より１週間後に、定法に従い採血しストレプトコッカス・ミュータンスに対する抗血清を得た。
【００７７】
（２）〔ストレプトコッカス・ミュータンスに対するポリクローナル抗体の精製〕
ＢＨＩ培地にて、上記（１）と同様の方法でＣｈａｌｌｉｓ（ストレプトコッカス・ゴルドニイ）を培養した後、ＰＢＳで洗浄し２×１０１２個／ｍｌ含む菌体懸濁液３０ｍｌを調製した。次いで該菌体懸濁液と、抗血清０．５ｍｌを混合し４℃、６０分反応した。混合液を４０００ｇ、５分遠心処理後上清を分取し、０．２２μｍフィルターで濾過した。
【００７８】
次いで、あらかじめＰＢＳで平衡化した１ｍｌのプロテインＡ−セファロース（アマシャムファルマシアバイオテク社）を充填したカラムに上清試料を添加し、５ｍｌのＰＢＳでカラムを洗浄後、５ｍｌの０．１Ｍグリシン−塩酸緩衝液（ｐＨ３．０）にて溶出し、直ちに１Ｍ トリス−塩酸（ｐＨ９．０）を添加しｐＨ７．４に調整した。ＩｇＧの溶出画分は、Ａ２８０を測定することで確認した。０．５ｍｌの抗血清より、約５ｍｇのＩｇＧを回収した。
【００７９】
実施例１  比較例１［濾過装置による被抽出液の濾過］
被験者にパラフィンペレットを５分間噛ませ、分泌された唾液を被抽出液として回収した。
【００８０】
ＳＣカートリッジ（マルエム社製）にガラス繊維濾紙、または濾紙をセットし、図１の構造の濾過装置を作製した。ガラス繊維濾紙、濾紙は表１のものを使用した。実験Ｎｏ．３，４，５，６は、濾紙の孔径が０．８〜２．０μｍの範囲にあり、本発明の実施例であり、実験Ｎｏ．１，２，７，８，９は濾紙の孔径が上記範囲外であり、本発明に対する比較例である。
【００８１】
１ｍｌの被抽出液を濾過装置に添加し、蓋を閉めシリンジにより加圧濾過し、濾液を回収した。被抽出液及び濾液を適宜希釈して、１００μｌをミチス・サリバリウス・バシトラシン（以下、「ＭＳＢ」とも略す）固体培地上に添加し、３７℃、嫌気条件下、４８時間培養した。
【００８２】
メンブランフィルターによる濾過の例として、マイレクスＨＶ（孔径０．４５μｍのＰＶＤＦ膜、直径１３ｍｍ）による被抽出液の濾過も実施した。ＭＳＢ培地上に生じるコロニー数を計数し、保持率［（被抽出液中の菌数−濾液中の菌数）／被抽出液中の菌数×１００］を算出した。結果を表１に示す。
【００８３】
【表１】
2006053157.tif 000002
【００８４】
ＭＳＢ培地で生育してくる菌は、主にストレプトコッカス・ミュータンスとストレプトコッカス・ソブリヌスであるので、菌体は０．５〜０．９μｍの大きさである。菌体より小さな孔径の濾材を用いた場合（実験Ｎｏ．１，２，９）、早期に目詰まりが生じてしまい濾過できた液量は０．５ｍｌ未満であった。特に、メンブランフィルターを用いた場合は０．１ｍｌしか濾過できなかった。
【００８５】
濾材による捕捉率は、孔径０．８〜２．０μｍまで９０％以上、特に０．８〜１．６μｍでは９５％以上であり、菌体自身の大きさより孔径が大きくてもこの範囲なら口腔内のストレプトコッカス・ミュータンスとストレプトコッカス・ソブリヌスが濾材上に捕捉されることが確認できた。また、０．８〜２．０μｍの濾材では濾過可能な被検体液量は１．０ｍｌであった。
【００８６】
実施例２ ［唾液と歯垢を含む被抽出液からの糖鎖抗原の抽出と免疫クロマトグラフィー法による測定］
（１）［被抽出液の採取と培養法による菌数の測定］
異なる１８人の被験者から、実施例１の方法に従い唾液及び歯垢を含む検体をそれぞれ得た。各検体を、適宜希釈して、１００μｌをＭＳＢ固体培地上およびＢＨＩ固体培地上に添加し、３７℃、嫌気条件下、２４〜４８時間培養した。ＭＳＢおよびＢＨＩ固体培地上に生じるコロニー数を計数し、被抽出液の希釈率から、ミュータンスレンサ球菌濃度を個／ｍｌとして算出し、表２に示した。
【００８７】
ＭＳＢおよびＢＨＩ培地上のストレプトコッカス・ミュータンスの識別は、コロニーの形態学的分類、および形態学的に識別不可能なコロニーに関しては、該コロニーを純粋培養後、ミュータンスレンサ球菌の血清型特異的な抗体を利用した免疫学的測定方法および、糖発酵試験等の生化学的方法によりストレプトコッカス・ミュータンスの同定を行った。
【００８８】
（２）［糖鎖抗原抽出液の調製］
（１）で採取した被抽出液０．５ｍｌをＧＡ−１００（孔径１．０μｍ）をセットした濾過装置により濾過した。次いで、０．５ｍｌの０．１Ｍ ＮａＯＨ溶液を濾過装置に添加し濾過し、さらに０．５ｍｌのＰＢＳを濾過装置に添加し濾過することで、濾材上の微生物と濾材の洗浄を行った。濾材に２０μｌの２Ｍ 酢酸溶液と２０μｌの１Ｍ 亜硝酸ナトリウム塩水溶液を添加し、室温で２分、または１０分間放置した後、９０μｌの０．０５％ Ｔｗｅｅｎ２０を含む１Ｍ トリス（ｐＨ未調製）を添加し、濾過装置をシリンジで加圧することで糖鎖抗原抽出液（１００〜１４０μｌ）を回収した。
【００８９】
（３）〔免疫クロマトグラフィー法ストリップによる糖鎖抗原抽出液の測定〕
コロイド粒径が４０ｎｍの市販金コロイド溶液（ＥＹ Ｌａｂｏｒａｔｏｒｙ）１０ｍｌに１００ｍＭＫ２ＣＯ３を８８μｌ添加し、ｐＨを９．０に調製後、０．２２μｍフィルター処理した。金コロイド溶液の５２０ｎｍの吸光度を測定したところ、Ａ５２０＝１．０であった。
【００９０】
次いで、１ｍｇ／ｍｌに調整した製造例１で調製した抗体の２ｍＭホウ酸緩衝溶液（ｐＨ９．０）６４μｌを、上記金コロイド溶液に撹拌しながら添加し、室温下５分放置した。次いで、１０％スキムミルク−２ｍＭホウ酸緩衝液（ｐＨ９．０）を１．１ｍｌ撹拌しながら添加し（スキムミルク終濃度１％）、室温下３０分放置した。次いで、反応溶液を１０℃、１００００ｇ、３０分遠心処理し、上清を除去後、２ｍｌの２ｍＭＰＢＳ（ｐＨ７．４）を添加し、下層の金コロイド画分を再懸濁した。該再懸濁した画分の５２０ｎｍの吸光度を測定したところ、Ａ５２０＝４．９であった。得られた金コロイド画分（以下、「金コロイド標識抗体」とも略する）は、４℃にて保存した。
【００９１】
ニトロセルロースメンブレン（ＭＩＬＬＩＰＯＲＥ社、Ｈｉ−Ｆｌｏｗ Ｐｌｕｓ Ｍｅｍｂｒａｎｅ、ＨＦ１８０、２５ｍｍ×６ｍｍ）からなる展開メンブレン(10)上の検出ライン(12)およびコントロール判定ライン(13)上に、それぞれ１ｍｇ／ｍｌの製造例１で調製した抗体および抗ウサギＩｇＧ（Ｈ＋Ｌ）ポリクローナル抗体（ＩＣＮファーマシューティカルズ社）１μｌをスポットし、インキュベーター内で３７℃、６０分乾燥し抗体を固定化した。該抗体固定化メンブレンを１％スキムミルク−０．１％ＴｒｉｔｏｎＸ１００水溶液中で室温下、５分振とうした。次いで、該メンブレンを１０ｍＭリン酸緩衝液（ｐＨ７．４）中で室温下、１０分振とう後取り出し、真空ポンプで吸引しながら６０分間デシケーター中で乾燥した。
【００９２】
また、コンジュゲートパッド(9)（ＭＩＬＬＩＰＯＲＥ社、７．５ｍｍ×６ｍｍ）を０．５％ＰＶＡ−０．５％ショ糖水溶液中で１分間振とう後取り出し、真空ポンプで吸引しながら６０分間デシケーター中で乾燥した。該コンジュゲートパッドにＡ５２０＝１．０に調整した金コロイド標識抗体を２５μｌ添加し、真空ポンプで吸引しながら６０分間デシケーター中で乾燥した。更に、サンプルパッド(8)（ＭＩＬＬＩＰＯＲＥ社、１７ｍｍ×６ｍｍ）を１％Ｔｗｅｅｎ２０−ＰＢＳ水溶液中で１分間振とう後取り出し、真空ポンプで吸引しながら６０分間デシケーター中で乾燥した。尚、吸収パッド(11)（ＭＩＬＬＩＰＯＲＥ社、２０ｍｍ×６ｍｍ）は未処理のまま用いた。
【００９３】
このように調製した、図２に示すような免疫クロマトグラフィー法ストリップの各構成部分をプラスチックの支持台上に配置し、図３に示すような免疫クロマトグラフィー法ストリップを組み立てた。
【００９４】
免疫クロマトグラフィー法ストリップのサンプルパッド(8)上に、糖鎖抗原抽出液１００μｌを添加し、１０分後にスポットの有無を判定した。判定は、検出用抗体スポット上に捕捉された金コロイドの程度を４段階（＋＋＋：強い陽性、＋＋：陽性、＋：弱い陽性、−：陰性）に目視で識別した。結果を表２に示す。
【００９５】
【表２】
2006053157.tif 000003
【００９６】
表２に示したように、培養法により得られたストレプトコッカス・ミュータンスの濃度と相関するスポット発色強度が得られた。亜硝酸水溶液の作用時間は２分より１０分の方がスポット強度が強かった。本発明の測定方法により糖鎖抗原抽出液中の抗原量を、言い換えれば、被抽出液中のストレプトコッカス・ミュータンス量を、濃度依存的に検出可能であった。
【００９７】
比較例２ ［唾液と歯垢を含む被抽出液からの遠心分離法による糖鎖抗原の抽出と免疫クロマトグラフィー法による測定］
（１）［糖鎖抗原抽出液の調製］
実施例１で採取した唾液と歯垢を含む被抽出液（０．５ｍｌ）を１０，０００ｒｐｍで５分間遠心分離し、沈殿を０．５ｍｌの０．１ＭＮａＯＨに懸濁し、遠心分離により上清を除去した。次いで沈殿を０．５ｍｌのＰＢＳに懸濁し、遠心分離にて上清を除去した。
【００９８】
ＰＢＳによる同様の操作を再度実施した後、沈殿に２０μｌの２Ｍ 酢酸溶液と２０μｌの１Ｍ 亜硝酸ナトリウム塩水溶液を添加し良く混合後、室温で１０分間放置した。９０μｌの０．０５％ Ｔｗｅｅｎ２０を含む１Ｍ トリス（ｐＨ未調製）を添加し、糖鎖抗原抽出液を調製した。
【００９９】
（２）〔免疫クロマトグラフィー法ストリップによる糖鎖抗原抽出液の測定〕
上記（１）で調製した糖鎖抗原抽出液を実施例２（３）と同様の方法にて測定した。結果を表３に示す。
【０１００】
【表３】
2006053157.tif 000004
【０１０１】
表３に示したように培養法でストレプトコッカス・ミュータンスが検出されなかった検体で陽性となるものがあった（検体１４、１５、１７）。これは被抽出液中に含まれる非特異的反応原因物質が遠心分離法による洗浄では十分に除去できなかったために非特異的反応により陽性となったものと思われる。
【０１０２】
実施例３［予め調製した亜硝酸水溶液による亜硝酸抽出］
実施例２（１）と同様の方法により、被抽出液を濾過した後、０．５ｍｌの０．１Ｍ ＮａＯＨ溶液で濾材上の微生物と濾材を洗浄した。１Ｍ 亜硝酸ナトリウム溶液と２Ｍ 酢酸溶液を１：１で混合し、亜硝酸水溶液を調製し、該亜硝酸水溶液０．２ｍｌを濾過装置に添加し、シリンジで加圧して速やかに余分量を流下させた。２分間室温で放置した後、９０μｌの０．０５％ Ｔｗｅｅｎ２０を含む１Ｍ トリス（ｐＨ未調製）水溶液を添加し、濾過装置をシリンジで加圧することで糖鎖抗原抽出液（１００〜１４０μｌ）を回収した。実施例２（３）と同様の方法により糖鎖抗原抽出液を測定した。結果を表４に示す。
【０１０３】
【表４】
2006053157.tif 000005
【０１０４】
亜硝酸抽出の反応時間を２分に短縮しても実施例１で１０分間反応させたものと同じ結果であった。
【図面の簡単な説明】
【０１０５】
【図１】本図は、本発明の微生物抗原の抽出方法で使用する濾過装置の略図である。
【図２】本図は、本発明の微生物の測定方法を、免疫クロマトグラフィー法により実施する場合において使用するストリップの各部材の概略図である。
【図３】本図は、図２のストリップの側面図である。
【符号の説明】
【０１０６】
１・・・排液口
２・・・濾材
３・・・容器本体
４・・・シリンジ差込口
５・・・蓋部
６・・・濾過装置
７・・・ストリップ
８・・・サンプルパッド
９・・・コンジュゲートパッド
１０・・・展開メンブレン
１１・・・吸収パッド
１２・・・検出ライン
１３・・・コントロール判定ライン
【図１】
2006053157.tif 000006
【図２】
2006053157.tif 000007
【図３】
2006053157.tif 000008